Podtech/llm-jp-corpus-v4-ja_patent huggingface dataset:
(57)【要約】      （修正有）【課題】ヘアーカラーリングのウイービングテクニックを簡素化、高速化、精密化するためのくしを提供する。【解決手段】くしの歯に任意の巾をもたせ、その歯の先端部に凹みを設ける。【選択図】図１
0003174290.tif 000002
【実用新案登録請求の範囲】
【請求項１】
くし（ヘアーカラーコーム）の歯に任意の巾をもたせ、その歯の先端部に凹みを設けたくし（ヘアーカラーコーム）。
【考案の詳細な説明】
【技術分類】
【０００１】  この考案は、ヘアーカラーリングのウイービングテクニックを簡素化、高速化、精密化するためのくし（ヘアーカラーコーム）に関するものである。
【背景技術】
【０００２】  従来は、くし（ヘアーカラーコーム）の柄の部分を使用して毛束をピックアップしてた。
【考案の開示】
【考案が解決しようとする課題】
【０００３】  そのために次のような問題点があった。
近年のヘアカラーは、毛束ごとに色を変える等のヘアーデザインの要望が多い。
従来の細長い毛糸針のようなくし（ヘアーカラーコーム）の柄の部分を使い、感覚的に毛束をピックアップしていては毛束を揃えることは、相当の熟練者でないとできない。
また、長時間を要していた。
本考案は以上の問題点を解決するためになされたものである。
【問題を解決するための手段】
【０００４】  くしの歯に任意の巾をもたせ、その歯の先端部に凹みを設けたくし（ヘアーカラーコーム）である。
【考案の効果】
【０００５】  ヘアーカラーのウイービング作業で、毛束のピッツクアップが一度に均一に正確に毛束を保持することができる。
技術的には極めて簡単に習得できる。時間的にも従来より約５０％のスピードアップが可能である。
また、二人で作業をすることも可能で効率的である。
【考案を実施するための最良の形態】
【０００６】  本考案の実施の形態について説明する。
（イ）巾をもたせたくしの歯に（２）の先端部に凹み部（３）を設ける。くしの歯の巾は任意である。凹みの形は任意である。凹みを設けた歯の先端の両端は鋭角であることが望ましい。
また、くしの材質は、アクリル板、ステンレス版が最適である。
本考案は、以上の構造であるから、ヘアーカラーのウイービングをするときは、本考案のくし（ヘアーカラーコーム）を使えば、各くしの歯の先端の凹み（３）に毛束が均一にピックアップすることが容易にできる。
【図面の簡単な説明】
【０００７】
【図１】  本考案の正面図
【図２】  本考案の使用状態を示す説明図
【符号の説明】
【０００８】  １．くし（ヘアーカラーコーム）本体
２．くしの歯部
３．凹み部
【図１】
0003174290.tif 000003
【図２】
0003174290.tif 000004
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
くしの歯に任意の巾をもたせ、その歯の先端部に凹みを設けたくし。
(57)【要約】      （修正有）【課題】自動車車室内の運転席前方に設備されている表示装置にあって、タイヤ・ホイール等を大きくしたり、小さくした場合、タイヤの外周が変わることによって生じる特に表示装置における文字盤の速度表記誤差を解消させることが出来る表示形態をなした表示装置を提供する。【解決手段】自動車における純正の標準タイヤ装着時のメモリに加えて、大口径サイズタイヤ装着時の走行速度実測数値の目盛りを並列表示するために、純正計器文字盤と同型のフィルム素材を重ねて装着・固定し、車両本体からの電源に電力変換装置を介して発光させるようにして自動車計器文字盤補正パネルを形成する。【選択図】図２
0003174286.tif 000002
【実用新案登録請求の範囲】
【請求項１】
自動車のタイヤ及びホイールを大きくしたり、小さくした場合、タイヤの外周が変わることによって生じるメーター計器の速度の誤差を正しく表示させることにより、運転時の危険性を軽減させることのできる文字盤パネル
【考案の詳細な説明】
【技術分野】
【０００１】  本考案は、例えば自動車車室内の運転席前方に設備されている表示装置にあって、タイヤ・ホイール等を大きくしたり、小さくした場合、タイヤの外周が変わることによって生じる特に表示装置における文字盤の速度表記誤差を解消させることが出来る表示形態をなした表示装置に関するものである。
【背景技術】
【０００２】  自動車用の計器に使用されている一般的な表示装置の文字盤は、図１で示すように予め純正タイヤの外周をもとにに設計されたものである。【０００３】  速度はタイヤ１回転を基準に計算されるように設計されているため、タイヤ径などが変わってもそのままの速度表示で表示されてしまう設定になっており、外周までは計算しないため、速度表示４０ｋｍ／時で走行しているつもりが実は４４ｋｍ／時や５０ｋｍ／時で走行しているわけですからコーナリングやブレーキのタイミング等、危険性が生じると考えられます。
【考案の概要】
【考案が解決しようとする課題】
【０００４】  ところが、車を購入後それぞれ人によって自由にパーツ交換することができるため、交換後に生じるあらゆる誤差に対応できない。例えば、外径８０４サイズのタイヤの外周は２５２５ｍｍですが、外径８３４サイズの外周は２６１９ｍｍとなり外周差は９４ｍｍ生じる。この場合速度表示には３％の修正が必要です。【０００５】  本考案はかかる従来の不具合に着目してなされたもので、文字盤の表示形態を、正しい速度表示が可能なスケールで印刷されたものをカバーのように被せることにより、運転者の都合によって交換されたことによって生じる危険性を軽減させることを目的とする
【考案が解決するために手段】
【０００６】  上記目的を達成する為に、本考案請求項１では、計器針などには干渉しないフィルムやパネルなどを被せることにより、簡易に安全な走行ができるスケールに変更できることを特徴としている。
【考案の効果】
【０００７】  以上のように本考案の文字盤補正パネルによれば、運転者の都合に合わせてタイヤ・ホイールを変える事ができ、これによって生じる危険性を軽減させ、瞬読性及び判読性を高めることができ、安全運転に効果を発揮する。
【考案を実施するための最良の形態】
【０００８】  実速度にあった補正パネル及び、運転者にあった色の組み合わせによる図２の文字盤補正パネルを、図１の既存計器文字盤の上に被せる。
【実施例】
【０００９】  既存の文字盤の上に速度表記が補正されたパネルを被せる。
【図面の簡単な説明】
【００１０】
【図１】従来の車両用表示装置を示した正面説明図
【図２】本考案計器文字盤補正パネル
【図１】
0003174286.tif 000003
【図２】
0003174286.tif 000004
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
自動車における純正の標準タイヤ装着時のメモリに加えて、大口径サイズタイヤ装着時の走行速度実測数値の目盛りを並列表示することを特徴とし、純正計器文字盤と同型のフィルム素材を重ねて装着・固定し、車両本体からの電源に電力変換装置を介して発光させる自動車計器文字盤補正パネル。
(57)【要約】      （修正有）【課題】香りを均一かつ持続的に散逸させることができる栓付き芳香瓶を提供する。【解決手段】栓であるコルクに上下を貫通する細い気孔を設ける。瓶の開口部を円形とし、栓の周壁を多角形に形成して、小さな隙間を生じさせる。【選択図】図１
0003174289.tif 000002
【実用新案登録請求の範囲】
【請求項１】
栓であるコルクに上下を貫通する細い気孔を設け、その気孔を芳香剤を外部に漏らさず、細い気孔を通じて香りのみを持続的に外部に散逸させる大きさ設定したことを特徴とする栓付き芳香瓶。
【請求項２】
瓶の開口部を円形とし栓の周壁を多角形に形成して、その組合せで生じる小さな隙間を設け、その隙間を芳香剤を外部に漏らさず、小さな隙間を通じて香りのみを持続的に外部に散逸させる大きさに設定したことを特徴とする請求項１記載の栓。
【考案の詳細な説明】
【技術分野】
【０００１】  本考案は、栓付き芳香瓶の改良に関するものであり、使いやすく香りを維持することができ、且つ香りのエッセンスまたは香料の使用量を節約することができる芳香瓶の構成に関するものである。
【背景技術】
【０００２】  現在市場では、小さく携帯しやすい芳香瓶が販売されている。芳香瓶の中に香水、アロマオイルまたはパウダー状の香料を入れ、瓶の栓を開けて体に直接付着させることで香りを外部に拡散させている。
【考案の概要】
【解決しようとする課題】
【０００３】  しかしながら、上述の芳香瓶スタイルでは、体に直接香料を付着させるため、香りの濃淡が不均一になり、持続性がない。
【課題を解決するための手段】
【０００４】  本考案は上記課題を一気に解決するもので、栓であるコルクに上下を貫通する細い気孔を設け、その気孔を芳香剤を外部に漏らさず、細い気孔を通じて香りのみを持続的に外部に散逸させる大きさ設定したことを特徴とする栓付き芳香瓶。
【０００５】  また上記構成に加え、瓶の開口部を円形とし栓の周壁を多角形に形成して、その組合せで生じる小さな隙間を設け、その隙間を芳香剤を外部に漏らさず、小さな隙間を通じて香りのみを持続的に外部に散逸させる大きさに設定したことを特徴とする請求項１記載の栓。
【発明の効果】
【０００６】  栓であるコルクを貫通する細い気孔から香りのみを持続的に外部に散逸することができる。
【０００７】さらに周壁を多角形にすることで、瓶の開口部と栓の間に生じるわずかな隙間からも香りのみを外部に散逸することができる。
【図面の簡単な説明】
【図１】図１は本考案の全体を示す斜視図である。
【図２】図２はコルク部の頭部を拡大した拡大断面図である。
【図３】図３は図２のＡ部分の拡大断面図である。
【図４】図４は図２のＢ−Ｂ´断面図である。
【考案を実施するための形態】
【０００８】  この考案の一実施形態を図２から図４に示す。３の栓に６の細い気孔が設けられている。それとともに１の円形である開口部と３の周壁を多角形に形成した栓の間にわずかな隙間が設けられている。さらに３の栓と４のカバーを結合させている。また、瓶の開口部の外側には凹陥するネック部が設けられており、ストラップを取り付けている。
【実施形態の効果】
【０００９】  総じて、本実用新案品である栓付き芳香瓶の改良スタイルは、実際に使用を簡単にし、安定した香りの発散を維持し、且つ香水、アロマオイル、香料の使用量を節約する効果を有しており、実に斬新性と進歩性を備えた実用新案品である。
【符号の説明】
【００１０】１、瓶
２、開口部
３、栓
４、カバー
５、香料
６、細い気孔
７、わずかな隙間
８、ネック部
９、ストラップ
【図１】
0003174289.tif 000003
【図２】
0003174289.tif 000004
【図３】
0003174289.tif 000005
【図４】
0003174289.tif 000006
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
栓であるコルクに上下を貫通する細い気孔を設け、その気孔を芳香剤を外部に漏らさず、細い気孔を通じて香りのみを持続的に外部に散逸させる大きさに設定したことを特徴とする栓付き芳香瓶。
【請求項２】
瓶の開口部を円形とし栓の周壁を多角形に形成して、その組合せで生じる小さな隙間を設け、その隙間を芳香剤を外部に漏らさず、小さな隙間を通じて香りのみを持続的に外部に散逸させる大きさに設定したことを特徴とする請求項１に記載の栓付き芳香瓶。
(57)【要約】      （修正有）【課題】暑い時やちょっとお洒落感を出したいときに、袖をたくし上げ、好きな位置でそれを固定して着られるようにする上衣を提供する。【解決手段】袖口カフス裏部分に、ゴムを縫付けた帯状の布を、カフス布と別布で挟み込み、そのゴムを縫付けた布が伸縮できるように縫合わせ、もう一方をカフスのボタンに留めるか、カフスに縫留めることでリング状にして、そのゴムのテンションで課題を解決している。【選択図】図６
0003174287.tif 000002
【実用新案登録請求の範囲】
【請求項１】
両袖のカフス裏地部分に、カフスを利用して、ゴムを縫付けた帯状の布をリング状に付ける事によって、そのテンションで好きな位置に、袖をたくしあげることができる上衣。
【考案の詳細な説明】
【技術分野】
【０００１】  本考案は、カフス袖を自由にたくしあげる事ができるアウターに関するものである。
【背景技術】
【０００２】  従来のカフス袖のシャツやアウターは、夏の暑い時期に袖を捲るには、袖を畳み込んで長さ調整をしたり、内紐を外側の釦で留める所謂ロールアップしかなく、紐の長さや最初に折り込んだ幅によって捲り上げる長さが決まってしまうし、ちょっと面倒である。
【考案の概要】
【考案が解決しようとする課題】
【０００３】  カフス袖をもっと簡単に、好きな位置でたくし上げることを目的とする。
【課題を解決するための手段】
【０００４】  本考案は、芯地を張った袖口カフスの裏部分に、ゴムを縫付けた帯状の布をカフスのボタンで留めるか、直接カフスに縫留めることでリング状になり、袖をたくし上げた時に、そのゴムのテンションで自由な腕の位置に留まるように課題を解決している。
【考案の効果】
【０００５】通常シャツ袖ようにカフスのボタンを外して、そのボタンにゴムを縫付けた帯状の布を留めるか、直接カフスに縫留めることで、リング状にキープされ、可動域とテンションが生まれ、自由にたくし上げられて留める事ができ、体温や気温の変化に簡単に対応することが可能になる。
【図面の簡単な説明】
【０００６】
【図１】  片袖をたくし上げた状態の図である
【図２】  袖口カフスのボタンを閉じた状態の図である。
【図３】  袖口カフスのボタンのみを開けた図である。
【図４】  太い腕の人用にアジャストした図である。
【図５】  ゴムを縫付けた帯状の布地Ａとそれをカフスに付ける為の別布の図である。
【図６】  袖カフス裏部分の図である。
【考案の実施するための形態】
【０００７】両袖それぞれのカフス裏のボタンか縫付けられている側のカフス端部分に、カフスの腕周りの全長よりも２〜３センチ長いゴムを縫付けた帯状の布端を縫付け、別布でそれを覆い、さらにゴムを縫付けた帯状の布が可動できるように別布とカフスを縫付け、そのゴムを縫付けた帯状の布のもう一方の端を、カフスのボタンに留めることができる大きさのボタンホールを長さ調整のために２箇所開けてボタンに留めておくか、直接カフス部分に縫付けることで、カフスのボタンを外してもゴムを縫付けた帯状の布はリング状に固定され、たくし上げた時にテンションが掛かり、好きな位置で保つことができる機能と利便性を生み出すことができる。
【実施例】
【０００８】  以下、添付図面に従って実施例を説明する。
図１のように、好きな位置でたくし上げられるように、図２のようなカフスを閉た状態の時は、帯状のゴムつき布の端もタブのように留められ、たくし上げる時は、図３のように、カフスのボタンのみを外すことで、ゴムを縫付けた帯状の布は、ボタンで留められたままか、または、留められた様に見える状態で直接カフスに縫付けることで、リング状になりゴムのテンションが生じ、自由な位置での袖をたくし上げが可能となる。【０００９】  ゴムを縫付けた帯状の布をボタン留めした場合は、個人差がある腕の太さにも、図４のように２つのボタンホールをずらして留めることで、対応が可能となる。【００１０】  図５にある平ゴムと布地を縫付けた帯状の布地Ａを別布Ｂと袖カフス裏で挟み込み、カフスのボタンがついている端部分に布地Ａのゴム部分と布地Ｂをカフス裏に縫付けて固定させ、布地Ａが自由に伸縮できる幅分の空間を開けて、布地Ｂとカフス裏を縫合わせることで、図６のような平ゴムと布地を縫付けた帯状の布地Ａが伸縮可能な袖裏部分として形成される。
【産業上の利用可能性】
【００１１】  本考案は、カフス袖仕様のすべてのアウターに利用可能で、ドレスシャツ、カジュアルシャツをはじめ、シャツアウター、ブルゾンなど、着内温度や着外気温に応じて、簡単に袖をたくし上げて留めることで着内調整が可能であり、日常生活で手を洗う時にも、利便性を発揮でき、ビジネスやスポーツやカジュアルライフなど、多様なウェアに、より快適な利便性を提供できる可能性を有している。
【図１】
0003174287.tif 000003
【図２】
0003174287.tif 000004
【図３】
0003174287.tif 000005
【図４】
0003174287.tif 000006
【図５】
0003174287.tif 000007
【図６】
0003174287.tif 000008
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
ゴムを縫付けた帯状の布がリング状になるように、両袖のカフス裏地部分に、別布を取り付けて、その帯状の布の端を固定して挟み込み、その帯状の布のもう一方の端にボタンホールを開けて、カフスのボタンに留める事によって、そのテンションで好きな位置に、袖をたくしあげることができる上衣。
(57)【要約】【課題】  踏みつけ式足裏のつぼ用刺激健康器具において、ポケットやカバン等に入れて手軽に携帯可能で、床に安定して設置できる片足用小サイズ形状の健康器具を提供する。【解決手段】  横幅寸法１００〜１３０ｍｍであり、縦幅寸法が３０〜４０ｍｍの平面を有する略直方体で、平坦な下面に滑り止めシート４を取り付けた基台の上面に複数個の突起３を設け、全高寸法が１５〜２０ｍｍの形状を有することを特徴とする携帯型足裏健康器具である。  【選択図】    図２
0003174241.tif 000002
【実用新案登録請求の範囲】
【請求項１】
横幅100〜130mm 縦幅30〜40mｍ の平面を有する略直方体で、平坦な下面に滑り止めシートを取り付けた基台の上面に複数個の突起を設け、全高15〜20mm の形状を有することを特徴とする携帯型足裏健康器具。
【請求項２】
基台と突起が一体成形されている事を特徴とする請求項１記載の携帯型足裏健康器具。
【考案の詳細な説明】
【技術分野】
【０００１】
本考案は、踏みつけることで足裏のつぼを刺激し、各種の病気の治療や健康の増進を図
るための携帯型小サイズの片足用足裏健康器具に関する。
【背景技術】
【０００２】
踏みつけることで、足裏のつぼを刺激する健康器具として青竹踏器、平板上に足裏のつぼに当たる位置に設けた突起を踏みつけるもの、ローラーや棒状のものに足裏を押し付ける形式のもの等が知られている。また基板上の踏み付け体に一列に設けた突起を踏みつけるもの、及び円形碗状の本体に配置した突起を踏みつける小型携帯のものが提案されている。
【先行技術文献】
【特許文献】
【０００３】
【特許文献１】実用新案登録  第３００８７００号  公報
【特許文献２】実用新案登録  第３０７２７０２号  公報
【特許文献３】実用新案登録  第３１２６５５３号  公報
【考案の概要】
【考案が解決しようとする課題】
【０００４】
従来の、踏みつけることで足裏のつぼを刺激する健康器具は、本考案の健康器具と比較して大型であって、ポケットやカバン等に入れて手軽に携帯するのには不便であり、また使用しないときの収納にもサイズにみあう場所が必要である。携帯型のものとして、上記特許文献２に、表裏面が円形碗状の小型の足裏按摩器が提案されているが、同器の形状から、床に設置した際に安定性に欠けることが推察される。
【０００５】
従って、本考案は、ポケットやカバンに入れて手軽に携帯可能で、収容場所も選ぶ必要がなく、床に設置したとき安定した状態で踏みつけることができる略長方形の小サイズで片足用の足裏健康器具を提供するものである。
【課題を解決するための手段】
【０００６】
平坦な下面に薄い滑り止め用シートを取り付け、横幅寸法を100〜130mm 縦幅寸法を３０〜40mm として、床に安定した姿勢で設置できる面積を確保した基台の上面に複数個の突起を設け、本健康器具を踏みつけて使用する時、前記突起により足裏つぼに適度の刺激を与える高さとして、全高寸法を15〜20mm とし、従来の同種の健康器具に比べて全体的に非常に小サイズの形態とする。
【考案の効果】
【０００７】
前述したように、従来の同種の健康器具に比べて全体的に非常に小サイズのため、ポケットやカバンに入れて手軽に携帯が可能で、かつ使用場所、収納場所を選ばない。
【０００８】
本考案の健康器具の全高は前述したように、同健康器具を踏みつけたとき突起による足裏つぼへの刺激は、強すぎず適度の強さを与える寸法であり、基台下面は平坦で略長方形の平面を有し、かつ滑り止めシートが取り付けてあり、床上に安定した状態で設置できる。
【０００９】
本考案の健康器具は、図４に示すように同健康器具の横幅方向に足裏の横幅方向を合わせて乗せ、踏みつけて使用し、一部のつぼを刺激する。従って、踏みつける位置を前後左右に変えることにより症状に応じたつぼを選択して効率よく刺激することができる。
【００１０】
本考案の健康器具は、片足用であり、床に直に置いた足を軸にして、安定した姿勢を保ちながらもう一方の足の踏みつけ動作をすることができる。
【００１１】
本考案の健康器具は全体的に小サイズで、構造的にも簡単であるため、安価な製品とすることが可能である。
【図面の簡単な説明】
【００１２】
【図１】本考案の携帯型足裏健康器具の実施例を示す平面である。
【図２】本実施例の正面図。
【図３】本実施例の側面図。
【図４】本実施例の健康器具を使用し、踏みつけている状態の平面図。
【図５】本実施例の健康器具使用状態の側面図。
【考案を実施するための形態】
【００１３】
木材、プラスチック、軽金属等の素材よりなり、横幅寸法100〜130mm縦幅寸法30〜40mm の平面を有する略直方体の基台下面に滑り止めシートを取り付け、上面に木材、樹脂、金属、あるいはシリコン樹脂を主体とするマイナスイオン発生部材やセラミックスを主体とする遠赤外線発生部材等よりなる複数個の突起を設け、全高を15〜20mm の形態とする。
【００１４】
また、基台と突起を一体成形体とすることも可能である。
【実施例】
【００１５】
以下、添付資料に従って一実施例を説明する。１は本考案の携帯型足裏健康器具で、２は横幅100〜130mm 縦幅30〜40mm の平面を有する略直方体の基台で、下面に薄い滑り止めシート４を取り付け、上面に突起３を複数個取り付け、下面４と突起３の頂点との距離寸法である全高を15〜20mm とし、全体的に小サイズで簡単な形態となっている。
【００１６】
本考案の健康器具は、図4に示すように床に置いて、足の横幅方向に複数の突起３を、刺激が生ずるように踏みつけて使用する。そのとき図5に示すように本健康器具の全高は、踏みつけた時の足裏の凹み量を考慮した寸法になっているため、土踏まずの場所で踏みつけた場合においても、足裏の踵と爪先が床に接し、その状態で体重が床と突起に分散されるため、足裏のつぼには突起による適度の刺激が得られる。
【００１７】
本考案の健康器具は、片足用であり両足同時に行う場合には、2台使用する。
また、本健康器具の横幅寸法を略倍にして、一体型の両足用健康器具とすることも可能である。
【００１８】
突起3に、シリコン樹脂を主体としたマイナスイオン発生部材あるいはセラミックスを主体とした遠赤外線発生部材等を使用することにより、椅子やソファーに腰を掛けた状態で該突起３上に素足を乗せたままにしておくだけで、同突起３と接するつぼを刺激することが可能であり、仕事、勉強、読書をしながら利用できるので、本考案の携帯型の利便性が更に発揮できる。また本健康器具に踏みつけ動作をおこなうと、より効果的に足裏つぼに刺激を与えることができる。
【符号の説明】
【００１９】
１  健康器具本体
２  基台
３  突起
４  滑り止めシート
【図１】
0003174241.tif 000003
【図２】
0003174241.tif 000004
【図３】
0003174241.tif 000005
【図４】
0003174241.tif 000006
【図５】
0003174241.tif 000007
(57)【要約】      （修正有）【課題】まつげをカールする時にまぶたを挟む危険性をなくすため、蝶番構造でまつげを挟みカール出来るようにしたまつげカーラーを提供する。【解決手段】上下一対の板状体をその端面において、蝶番により開閉できるように形成し、この蝶番が取り付けられた板状体の端面でまつげを挟み、カールできるように構成する。蝶番部をまぶたに固定した後まつげを挟むので、挟む部位は必ずまぶたより離れたところにあり、まぶたを挟む危険性がない。【選択図】図２
0003174280.tif 000002
【実用新案登録請求の範囲】
【請求項１】
蝶番構造でまつげを挟み、カールする事を特徴とするまつげカーラー。
【考案の詳細な説明】
【技術分野】
【０００１】本考案はまつげをカールするまつげカーラーに関するものである。
【背景技術】
【０００２】従来のまつげカーラーにはピンセット型や、ハサミ型のものがある。
【考案の開示】
【考案が解決しようとする課題】
【０００３】従来のピンセット型や、ハサミ型のまつげカーラーまつげを挟む際に、まぶたを挟んで傷つける恐れがあった。
【課題を解決するための手段】
【０００４】［図１］の本考案の蝶番構造でまつげを挟む、まつげカーラーを提供する。
【考案の効果】
【０００５】［図２］が本考案のまつげカーラーが  まつげを挟んだ状態である。蝶番部をまぶたに固定した後まつげを挟むので  挟む部位は必ずまぶたより離れたところにあり、まぶたを挟む危険性がない。
【実施例】
【０００６】本考案のまつげカーラー［図２］は、まつげを挟む部位がまぶたより離れたところにあり、まぶたを挟む危険性がない。
【産業上の利用可能性】
【０００７】まぶたを挟む危険性がないので  安全にまつげをカールすることができる。
【図面の簡単な説明】
【０００８】
【図１】本考案のまつげカーラー
【図２】本考案のまつげカーラーの使用例
【図１】
0003174280.tif 000003
【図２】
0003174280.tif 000004
【手続補正書】
【提出日】平成23年12月12日(2011.12.12)
【手続補正１】
【補正対象書類名】実用新案登録請求の範囲
【補正対象項目名】全文
【補正方法】変更
【補正の内容】
【実用新案登録請求の範囲】
【請求項１】
蝶番でつないだ２枚の板状体の間にまつげを挟んでカールする事を特徴とするまつげカーラー
(57)【要約】      （修正有）【課題】電池切れによってペダルが重くなった時にペダルを補助するアシスト自転車を提供する。【解決手段】電気による小型コンプレッサー２を搭載し、大気の空気を圧縮してタンク１内に貯蔵し、その圧縮空気を細かい管を通してペダル７に取り付けた回転板に吹きつけ、回転板を回し動力の補助をする。【選択図】図１
0003174279.tif 000002
【実用新案登録請求の範囲】
【請求項１】
小型電気コンプレサーによって大気の空気を圧縮しタンク内に貯蔵、その圧縮空気を細い管を通して排出時の力を強め、ローター型バルブを回し動力の補助とする自転車。
小型電気コンプレッサーを搭載したアシスト自転車。
【考案の詳細な説明】
【技術分野】
【０００１】  本考案は自転車のアシスト駆力に関するものである。
【背景技術】
【０００２】  電動アシスト自転車は定期的な充電を必要とし、先を見越した維持が面倒である。【０００３】  電動アシスト自転車は電気切れを起こした時、ペダルが重くなり通常の自転車より不便になる。
【考案の概要】
【考案が解決しようとする課題】
【０００４】  電動アシスト自転車は動力源となる電気の充電が面倒であった。【０００５】  電動アシスト自転車の動力源である電池は、バッテリーの交換により高額な費用が必要である。【０００６】  電動アシスト自転車の電気切れにて起る、ペダルの重力症状を解消する。
【課題を解決するための手段】
【０００７】  本考案は従来の電動車の動力であったモーターの代わりに圧縮空気を用いてペダルを補助するものである。【０００８】  小型の電気コンプレッサーを車体に搭載して常時一定圧の空気をタンク内に圧縮蓄積させる。【０００９】  コンプレッサーは前輪を利用したハブ発電機と乾電池を用いて可動させる。【００１０】  蓄積した圧縮空気の排出受け口は、ペダル側ギアに取り付けた円盤型のローター方式のバルブにすることにより、効率よく動力に利用する。【００１１】  圧縮空気排出口は開閉を可能として、スイッチ方式にてタンク内の圧力を制御する。
【考案の効果】
【００１２】  本考案により補助動力は電気モーターから自然エネルギーに変わり、地球環境に貢献した乗り物へと進化いたします。【００１３】  従来の電動アシスト自転車に必要な充電が不要となる。【００１４】  また、電気切れ時に起るペダルが重くなる症状も無くなる。
【図面の簡単な説明】
【００１５】
【図１】  アシスト動力解説図
【図２】  車輌全体図
【図３】  エアータンクと圧縮空気排出口詳細図
【図４】  圧縮空気受け口とローター型バルブ詳細図
【考案を実施するための形態】
【００１６】  以下、本考案の実施の形態を図２〜図４に基づいて説明する。
【００１７】  まず、本考案自転車の使用に先立ってハンドル１８に取り付けたエアーゲージ、圧力計６を確認する。エアータンク１の圧力が充分であれば、乗車始動後ハンドル１８に取り付けたエアー開閉スイッチ、ドレンコックスイッチ７にて弁を開けアシストを運用する。
【００１８】  圧力が不十分であれば、エアー開閉スイッチ、ドレンコックスイッチ７は閉にして小型コンプレッサー２にてエアータンク１の圧力を上げる。このとき小型コンプレッサー２は前輪１４に取り付けたハブ発電機８と乾電池９を用いて可動させる。充圧後、エアー開閉スイッチ、ドレンコックスイッチ７を開けアシストを運用する。
【００１９】  エアータンク１で圧縮された空気は、細いエアー排出管４を経由することによって排出時の力を強める。
【００２０】  エアー排出管４によって強められた空気はエアー受け口５に内蔵されたローター型バルブ１０を回す。
ローター型バルブ１０はエアー受け口５との密閉率と間隙、クリアランス１２を極めて小さくする事によって動力の損失を抑える。
【００２１】  エアー受け口５内の圧縮空気は、圧縮空気の吐口１１より外へ排出する。
【００２２】  エアータンク１より排出した圧縮空気はローター型バルブ１０を通して、本来の人的動力であるペダル１７をアシストする。
【００２３】  走行時は常時前輪１４に取り付けたハブ発電機８と乾電池９によって小型コンプレッサー２を可動させて、エアータンク１の圧力を一定に保つ。
【００２４】  外気とエアータンク１との温度の寒暖差によっておこるタンク内の水滴は、タンク内空気と水の排出弁１９より排出する。
【００２５】  圧縮空気を受けるローター型バルブ１０の形状を甲形状にする事により、空気の射流を防ぎ効率よくバルブを回す。
【符号の説明】
【００２６】    １  エアータンク
２  小型コンプレッサー
３  エアー排出口
４  エアー排出管
５  エアー受け口
６  エアーゲージ、圧力計
７  エアー排出口開閉スイッチ、ドレンコックスイッチ
８  ハブ発電機
９  乾電池
１０  ローター型バルブ
１１  圧縮空気の吐口、空気排出口
１２  間隙、クリアランス
１３  車体、自転車フレーム
１４  前輪
１５  動力伝達部品、チェーン、ベルト
１６  後輪
１７  ペダル
１８  ハンドル
１９  タンク内空気と水の排出弁
２０  空気の流れ
【図１】
0003174279.tif 000003
【図２】
0003174279.tif 000004
【図３】
0003174279.tif 000005
【図４】
0003174279.tif 000006
【手続補正書】
【提出日】平成23年12月14日(2011.12.14)
【手続補正１】
【補正対象書類名】実用新案登録請求の範囲
【補正対象項目名】請求項１
【補正方法】変更
【補正の内容】
【請求項１】
コンプレサーによって大気の空気を圧縮してタンク内に貯蔵、その圧縮空気を細い管を通してペダルに取り付けた回転板に吹き付け、回転板を回し動力の補助とする、電気コンプレッサーを搭載したアシスト自転車。
(57)【要約】【課題】  本考案は名刺・カードの形状を変えることにより、選び・取り出し易くする名刺・カードを提供するものです。【解決手段】  名刺・カードの両サイドを上方向に広がるように斜めの形状にして、名刺・カードの束を軽く挟んで滑るように上に上げた時、この形状の名刺のみが持ち上がる。【選択図】図２
0003174276.tif 000002
【実用新案登録請求の範囲】
【請求項１】
取り出しやすい名刺・カードの形状。
【考案の詳細な説明】
【技術分野】
【０００１】本考案は、名刺やカードの形状に関する。
【背景技術】
【先行技術文献】
【特許文献】
【非特許文献】
【考案の概要】
【考案が解決しようとする課題】
【０００２】大量の名刺の束の中から目的の（自分の）名刺を見つけるのに手間・時間がかかり、素早く見つけ取り出せる事が出来れば、多大な宣伝・営業効果が見込まれる。
【課題を解決するための手段】
【０００３】画一化されている名刺・カードの形状を変えることによって、束の中からすぐ取り出せる。
【図面の簡単な説明】
【０００４】
【図１】本考案に係る名刺・カード形状の図面である。
【図２】本考案に係る名刺・カードの使用方法の一例の図面である。
【実施例】
【０００５】本考案に係る形状の名刺・カードが無作為に混じっている束を持ち、その両脇を優しく持ち、上に引き上げれば、この形状の名刺・カードが持ち上がってくる。
【図１】
0003174276.tif 000003
【図２】
0003174276.tif 000004
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
一般的な長方形である名刺・カードの形状を台形を上下逆にしたように底辺から上辺に行くに従って両側に広がる形状にした名刺・カード
(57)【要約】      （修正有）【課題】パチンコ台の釘に対してペンチではさむ事により、釘の根元の幅に変化をもたせる腰折ペンチを提供する。【解決手段】釘を保持するための凹部、釘を押し込むための凸部を特徴として腰折ペンチを構成している。パチンコの釘を腰折ペンチではさむだけで、釘の根元から釘の間を簡単に矯正でき、今迄必要だった矯正の技術や長時間の作業が解消させる。【選択図】図２
0003174274.tif 000002
【実用新案登録請求の範囲】
【請求項１】
釘を保持しつつ、簡単に根元部分を曲げるための凹凸部を特徴とする腰折ペンチ。
【考案の詳細な説明】
【技術分野】
【０００１】  本考案は、パチンコ台の釘に対してペンチではさむ事により、釘の根元の幅に変化をもたせる腰折ペンチに関するものである。
【背景技術】
【０００２】  通常のペンチなどで釘の根元を調整する為、根元部のみを折るのではなく、釘全体を曲げていた。
【考案の概要】
【考案が解決しようとする課題】
【０００３】  メーカー出荷時点でのパチンコ台は、釘の奥側と手前の間隔にズレが生じていた。
そのズレを修正するには熟練の技術及び時間がかかっていたため、この問題を解決する腰折ペンチを提供することを目的としている。
【課題を解決するための手段】
【０００４】  上記目的を達成するために、本考案は、釘を保持するための凹部、釘を押し込むための凸部を特徴として腰折ペンチを構成している。
【考案の効果】
【０００５】  パチンコの釘を腰折ペンチではさむだけで、釘の根元から釘の間を簡単に矯正でき、今迄必要だった矯正の技術や長時間の作業が解消される。
【図面の簡単な説明】
【０００６】
【図１】本考案の組立図（閉）である。
【図２】本考案の組立図（開）である。
【考案を実施するための形態】
【０００７】  以下、本考案の実施の形態を図に基づいて説明する。
【実施例１】
【０００８】  釘曲げペンチの凹凸（図２−１）共に先端一定距離から斜め加工され（図１−２）、凹部分に釘をはめ込み、取っ手（図２−３）を握りはさむ事により凸部分が釘を押し込む。釘の根元一定距離から角度をつけ、先端とのズレを簡単に矯正することができる。
【産業上の利用可能性】
【０００９】  本考案は、釘の腰折を必要とする産業で利用される。
【符号の説明】
【００１０】  １    ペンチの凹凸
２    斜め加工
３    取っ手
【図１】
0003174274.tif 000003
【図２】
0003174274.tif 000004
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
釘を保持しつつ、簡単に根元部分を曲げるための凹凸部を、挟み込み部内側先端から一定距離に備えていることを特徴とする腰折ペンチ。
(57)【要約】      （修正有）【課題】砂や小石のある自然の岩海苔を摘み取る岩海苔摘み取り機を提供する。【解決手段】人の手で摘み取っていた岩海苔を、駆動機Ｋに海苔摘み取り機をつけ岩海苔を摘み取ることを可能にする。自然の岩海苔には、砂や小石などがあり、これを吸い込まないようにすると、目詰まりが起こった。目詰まりを起こさないようにするため、砂や小石も取り込むようにした。海苔の切取り部分が水圧による密着であり密着が継続し、また砂や小石が挟まっても適度に広がり回転を止めることなく、吸込みを可能にした。取込み口１に、スクリューハネ３によって水流を発生させたことにより、外気を吸い込んでも、スクリューハネを水中につけるだけで、水流が発生し、吸い込んだ小石なども、海苔籠Ｄに押し出すことができた。【選択図】図１
0003174277.tif 000002
【実用新案登録請求の範囲】
【請求項１】
取込み口に駆動機によって水流をおこすスクリューハネと駆動機とスクリューハネの間に小石なども取り込める隙間を設けたことを特徴とする海苔摘み取り機
【考案の詳細な説明】
【技術分野】
【０００１】  本考案は、岩海苔を摘み取るためのものである。
【背景技術】
【０００２】  岩海苔は、砂や小石があり、機械による摘みとりは、目詰まりなどがあり、これまでは、手で摘み取っていた。
【考案の概要】
【０００３】  ポンプを使い、岩海苔を摘み取ることを可能にした摘み取り機を考案し、実用新案を提出しましたが、本考案は改良型であり、先の考案の弱点を克服してより確実に、岩海苔を摘み取ることを可能にしたものである。
【考案が解決しようとする課題】
【０００４】  ポンプによる摘み取りは、外気を吸い込むと、呼び水を巡回させるまで海苔を摘み取ることができなかったり、ポンプを止める小石を除去しなければならなかった。
【課題を解決するための手段】
【０００５】  駆動機によって、スクリューハネを回転させる。
【考案の効果】
【０００６】  本考案は、外気を吸い込んでも、再度先端部分のスクリューハネに水位があれば、水流を起こすことができ、取り込んだ海苔や小石を分離することなく、海苔籠に送ることができる。
【図面の簡単な説明】
【０００７】
【図１】本考案の海苔摘み取りの実施例を示す立面図・側面図である
【図２】本考案の主要部の斜視図である
【０００８】  岩場から海苔・砂・小石などを取込み、海苔籠に取り込む。
【実施例】
【０００９】  以下、添付図面に従って１実施例を説明する。１は、２の保護と開口部を広く取ることにより、海苔や小石によるつまりを防ぎます。３と４は一体もので、Ｋから７、７から４、４から３に回転を伝えて、水流を発生させるとともに３の回転と２で海苔の切断をする、３により発生した水流は、海苔や小石を吸い込み海苔籠へと押し出します。７と４の間には、隙間があり、３と２に小石などが挟まったとき、水圧で密着していた３と２を、適度に広げ、小石などを容易に取り込めるようにしました。駆動機にモーターとバッテリーを使うことで小型化ができ、容易に防水ができる。また草刈り機などのアタッチメントとして、制作することができる。
【符号の説明】１  取込み口２  カッター３  スクリューハネ４  シャフトＢ５  軸受６  軸受７  シャフトＡＫ  駆動機Ｄ  海苔籠
【図１】
0003174277.tif 000003
【図２】
0003174277.tif 000004
【手続補正書】
【提出日】平成23年12月15日(2011.12.15)
【手続補正１】
【補正対象書類名】実用新案登録請求の範囲
【補正対象項目名】全文
【補正方法】変更
【補正の内容】
【実用新案登録請求の範囲】
【請求項１】
駆動機側のシャフトの溝に、スクリューハネ側のシャフトの突起物を挟み込み、取込み口でスクリューハネを回転させることで水流を発生させ、さらに、両シャフトの間に軸方向に１５ｍｍ程度の隙間を設けたことで、水圧で密着していたスクリューハネとカッターの間に、小石などを挟み込んでも、適度に広がり、小石などを取り込んで、回転を止めないことを、特徴とする海苔摘み取り機
(57)【要約】      （修正有）【課題】石膏ボードの切削屑が飛散することがなく、安心して作業することができる環境を保つことのできる石膏ボード切削屑受カバーを提供する。【解決手段】石膏ボードを切削する鉋１０において、前記鉋の両側部表面１１にスライド溝１２を設け、石膏ボードの切削屑の排出部分に切削屑受カバー１を着脱自在に設けるとともに、前記切削屑受カバーが前記スライド溝をスライドする構成とすることを特徴とする、石膏ボード切削屑受カバー。【選択図】図３
0003174207.tif 000002
【実用新案登録請求の範囲】
【請求項１】
石膏ボードを切削する鉋において、前記鉋の両側部にスライド溝を設け、石膏ボードの切削屑の排出部分に切削屑受カバーを着脱自在に設けるとともに、前記切削屑受カバーが前記スライド溝をスライドすることを特徴とする、石膏ボード切削屑受カバー。
【考案の詳細な説明】
【技術分野】
【０００１】
本考案は、建物内の石膏ボードを鉋によって切削作業する際に使用する石膏ボード切削屑受カバーに関する。
【背景技術】
【０００２】
従来、建物内の小口などを切削するための鉋としては、特許文献１に示すように、前面に被加工ボードの縁部を当接可能な案内溝が形成されるとともに、背面に鉋身装着座部が設けられ案内溝の一部が鉋身装着座部に開口した刃口を有する鉋台と、この鉋台の背面に開閉可能に取り付けられ固定可能なカバーと、刃口を介して案内溝へ刃が突出した状態で、鉋身装着座部とカバーの内面に設けられた鉋身押さえとの間に着脱可能に挟着され折刃式カッタナイフ用のカッタブレードからなる鉋身が開示されている。
【先行技術文献】
【特許文献】
【０００３】
【特許文献１】特開２０１０−４２５７６号公報
【考案の概要】
【考案が解決しようとする課題】
【０００４】
しかしながら、上記特許文献１では、石膏ボードから削り取られた切削屑は、鉋台の刃口からカバーの削り屑排出口を通じて連続的に排出されるため、石膏ボードの削り屑が周囲に飛散することから作業環境に良くないという問題があった。
【０００５】
本考案は、このような実情に鑑みてなされたもので、石膏ボードの削り屑が周囲に飛散することがなく、作業者の作業環境も改善することのできる石膏ボード切削屑受カバーを提供することを目的とする。
【課題を解決するための手段】
【０００６】
上記課題を解決するために、本考案の石膏ボード切削屑受カバーは、石膏ボードを切削する鉋において、前記鉋の両側部にスライド溝を設け、石膏ボードの切削屑の排出部分に切削屑受カバーを着脱自在に設けるとともに、前記切削屑受カバーが前記スライド溝をスライドすることを特徴とする。
【考案の効果】
【０００７】
本考案によれば、石膏ボードを切削した際の削り屑が石膏ボード切削屑受カバー内に収納されることになるため、削り屑が周囲に飛散することがなく、作業者は安心して作業をすることができる。
また、石膏ボード切削屑受カバー内に収納された削り屑は、当該石膏ボード切削屑受カバーをスライド溝に沿ってスライドさせることにより排出することができるので、石膏ボードの切削屑の捨て場と排出容器を備えておけば作業後の処理もスムーズに行うことができ作業環境を改善することができる。  
【図面の簡単な説明】
【０００８】
【図１】は本考案に係る石膏ボード切削屑受カバーを示す斜視図である。
【図２】は本考案に係る石膏ボード切削屑受カバーの底面図である。
【図３】は本考案に係る石膏ボード切削屑受カバーを鉋に装着してスライドさせる状態を示す概略図である。
【考案を実施するための最良の形態】
【０００９】
以下、本考案を実施するための最良の実施形態について説明する。  
図１，図２に本考案の実施形態の一例の石膏ボード切削屑受カバーを示す。
石膏ボード切削屑受カバー１は、長方形の上面部２と当該上面部２の前端から下方に垂直に折曲した前面部３と当該上面部２の両側端から下方に垂直に折曲した側面部４，５から構成されている。当該側面部４，５の先端面部分は、それぞれ上面部２側に垂直に折曲した鍔部６，７を有している。
なお、切削屑受カバー１は、プラスチック等の合成樹脂による成型品でもよく、または金属性の平板のプレス成型による製品でもよい。
【００１０】
図３に示すように、鉋１０の両側部表面１１の略中央位置には、それぞれスライド溝１２，１２が形成され、当該スライド溝１２，１２には前記切削屑受カバー１の両鍔部６，７が嵌る構造となり、切削屑受カバー１はスライド溝１２内を前後にスライド可能となる。
【００１１】
また、石膏ボード切削屑受カバー１がスライド溝１２を移動する範囲は、スライド溝１２の長さにより制限される構造となっている。即ち、切削屑受カバー１を鉋１０に装着し、切削屑受カバー１をスライド溝１２に沿って後方にスライドすると、スライド溝１２の終点部に達して停止した位置が、鉋１０の切削部分（図３の破線部）を切削屑受カバー１内に収納する状態となる（図３の切削屑受カバー１の実線部状態参照）。
一方、図３の矢印のごとく、切削屑受カバー１を前方にスライドさせていくと切削屑受カバー１の内部がツマミ１３に接触して停止する（図３の一点破線部状態参照）。
なお、切削屑受カバー１の各寸法は、鉋１０に密着する寸法となっている。
【００１２】
本考案の石膏ボード切削屑受カバー１を用いて作業するには、建物内の石膏ボードを切削する作業の際に、切削屑受カバー１を鉋１０に装着し、当該切削屑受カバー１を後方にスライドさせ、スライド溝１２の終点で停止する位置までスライドさせる。その位置が石膏ボードの削り屑が切削屑受カバー１内に収納され漏れでない位置となる。そして、作業者は石膏ボードを削る作業を行うことになる。
石膏ボードの切削作業が終了したら、切削屑を捨てる指定の場所に行き、切削屑受カバー１を前方にスライドさせて停止する位置まで移動させる。その位置で石膏ボードの切削屑を切削屑容器等に捨てることにより、作業者は石膏ボードの切削作業をより安全な環境で行うことができる。
【符号の説明】
【００１３】
１          石膏ボード切削屑受カバー
２          上面部
３          前面部
４，５      側面部
６，７      鍔部
１０        鉋
１１        側部表面
１２        スライド溝
１３        ツマミ
【図１】
0003174207.tif 000003
【図２】
0003174207.tif 000004
【図３】
0003174207.tif 000005
(57)【要約】      （修正有）【課題】災害時・緊急時に狭い場所や階段などから傷病者・要介護者を搬送し、広い場所ではより多人数で安全に搬送する布担架を提供する。【解決手段】布製のシートの裏側左右にテープＴ−４・Ｔ−５を縫製し、多人数の手で掴み、重量の掛かる部分にはさらに安全に力が掛けられ、かつ、腕を差し込めるように補強テープＴ−１・Ｔ−２・Ｔ−３を、シートの裏側に前記縫製されたテープＴ−４・Ｔ−５と交差するように縫製し、シートと同素材もしくは、縫製可能な素材を、シートの上下・左右に筒状に縫製し、広い場所では、この上下・左右の筒状の部分Ａ−１・Ａ−２・Ｂ−１・Ｂ−２に棒状の物を差し込む。【選択図】図２
0003176905.tif 000002
【実用新案登録請求の範囲】
【請求項１】
丈夫な布製のシートとテープを縫製することにより、軽量化し折り畳むなど持ち運び、収納をコンパクトにし、裏のテープ（Ｔ−４・Ｔ−５）を多人数の手で掴み、重い腰部分にはさらに安全に力が掛けられるように腕を差し込めるように補強テープ（Ｔ−１・Ｔ−２・Ｔ−３）を付けることにより、狭い場所や階段などからの救護搬送を安全かつ容易にし、広い場所では、上下、左右の筒型の部分（Ａ−１・Ａ−２・Ｂ−１・Ｂ−２）に丈夫な棒状の物を差し込み、より多人数での安全な搬送が可能な布担架。
【考案の詳細な説明】
【技術分野】
【０００１】本発明は、災害時・緊急時における傷病者・要介護者を狭い通路や階段から速やかにかつ安全に搬送可能で、軽量で折り畳む事により、コンパクトな収納が可能な簡易担架である。
【背景技術】
【０００２】近年の災害時や緊急時には搬送に不慣れな人達による救護搬送も必要になり狭い場所や一般家庭や２階、３階などからの救護搬送も発生する中搬送に不慣れな人達や力の弱い人達でも、裏面のテープをつかむ事や、安全な場所では筒状のところに、丈夫で安全な棒状の物を差し込む事でより多くの人達が救護搬送に携わることにより安全に、救護活動が可能になる。
【先行技術文献】
【０００３】
【特許文献】
【特許文献】  特開  ２０１１−２１７８８２号  公報  特開  ２０１１−４５４７０号  公報  特開  ２００２−３４５８９４号  公報  特開  ２００５−１０２８７７号  公報
【考案の概要】
【考案が解決しようとする課題】
【０００４】本発明は搬送に不慣れな者でも狭い場所や階上からでも、より多くの協力者が参加することで安全に速やかな救護搬送を可能にする軽量折り畳み担架を提供することを目的とする。
【課題を解決するための手段】
【０００５】丈夫な布製のシートとテープを縫製することにより、軽量化し折り畳むなど持ち運びや収納をコンパクトにし、本体裏面のテープを多人数で掴み、重い腰部分には、更に腕を通し、更に安全に力が掛けられるように、補強テープを付け、狭い場所や階上からの救護搬送を可能にし、広い場所では上下左右の筒状の場所に丈夫で安全な棒状の物を差し込むことにより、より多くの人達による安全で速やかな救護搬送が可能になる。
【考案の効果】
【０００６】本発明により、搬送に不慣れな人達や力の弱い人達でも、狭い場所や階上からの速やかな救護搬送が可能になり、搬送者・被搬送者の肉体的・精神的負担も軽減される。
【図面の簡単な説明】
【０００７】
【図１】本発明に係る表側（上面）を表した図面であり、本体部分と一緒になっているＡ−１・Ａ−２とＢ−１・Ｂ−２は筒状になっており、広い場所などでは、この部分に丈夫で安全な棒状の物を差し込む事が出来る。
【図２】本発明に係る裏面（下面）を表した図面であり、Ａ−１・Ａ−２・Ｂ−１  Ｂ−２に関しては前記と同じであり、Ｔ−４・Ｔ−５は丈夫なテープで手のひらが入る間隔をあけて数か所を縫製することにより、従来の少人数ではなく、より多くの人達での救護搬送が可能であり、被搬送者の体重がかかる腰部分を安全に支えるために、腕を通して使用できるように、Ｔ−１・Ｔ−２・Ｔ−３の補強用に丈夫なテープを縫製したものである。
【図３】（図１）の上下を側面から表した図面であり、Ｂ−１・Ｂ−２はＡ−１・Ａ−２と一緒になっている本体部分に上下に筒状で縫製され、重さの掛かる腰部分にＴ−１・Ｔ−２・Ｔ−３の補強用の丈夫なテープを縫製したものである。
【図４】（図１）の左右側面を表した図面であり、本体と一緒になっている筒状の部分Ａ−１・Ａ−２があり、多人数で掴む為のテープＴ−４・Ｔ−５があり体重の掛かる腰部分を補強するために、補強用に丈夫なテープＴ−１・Ｔ−２・Ｔ−３を縫製したものである。
【図１】
0003176905.tif 000003
【図２】
0003176905.tif 000004
【図３】
0003176905.tif 000005
【図４】
0003176905.tif 000006
【手続補正書】
【提出日】平成24年4月18日(2012.4.18)
【手続補正１】
【補正対象書類名】実用新案登録請求の範囲
【補正対象項目名】全文
【補正方法】変更
【補正の内容】
【実用新案登録請求の範囲】
【請求項１】
布製のシートの裏側左右にテープ（Ｔ−４・Ｔ−５）を縫製し、多人数の手で掴み、重量の掛かる部分にはさらに安全に力が掛けられ、かつ、腕を差し込めるように補強テープ（Ｔ−１・Ｔ−２・Ｔ−３）を、シートの裏側に前記縫製されたテープ（Ｔ−４・Ｔ−５）と交差するように縫製し、シートと同素材もしくは、縫製可能な素材を、シートの上下・左右に筒状に縫製し、広い場所では、この上下・左右の筒状の部分（Ａ−１・Ａ−２・Ｂ−１・Ｂ−２）に棒状の物を差し込む事で、多人数での安全な搬送を可能にしたことを特徴とする簡易軽量折り畳み担架。
(57)【要約】【課題】建物への津波の抵抗を最小にして、建物の破壊と流出を防ぐ。【解決手段】流線型が先端が丸く、向かってくる流体の抵抗を最小にすることを利用し、建物の長手方向の端部を丸くして端部を津波の来る方向に配置してすることで寄せてくる津波の抵抗を最小にして、建物の破壊と流出を防ぐ。【選択図】図１
0003176910.tif 000002
【実用新案登録請求の範囲】
【請求項１】
細長い建物の長手方向の端部を丸くした建物
【考案の詳細な説明】
【考案の詳細な説明】
【考案が解決しようとする課題】
【０００１】従来の建物は矩形で、海側から寄せてくる津波の抵抗が最大で、破壊されたり流されてしまうことが多かった。また、陸側から引いてくる津波に流されてしまう問題点があった。
【課題を解決するための手段】
【０００２】上記の問題点を解決するために、流線型は先端が丸く、向かってくる流体の抵抗を最小にすることを利用し、建物の長手方向の端部を丸くして津波の抵抗を最小にする。また、海側から寄せてくる津波３と陸側から引いてくる津波４に対しては建物の長手方向の両端を丸くして長手方向を津波のくる方向に向けて配置する。さらに、建物の長手方向の端部側に山・土手・堤防や建物などの津波の直撃を防ぐ物がある場合は、その反対側の端部を丸くし建物２に向かってくる津波３の抵抗を最小にする。
【考案の効果】
【０００３】細長い建物の端部を丸くすることことによって、建物に寄せてくる津波３と引いてくる津波４から受ける抵抗が最小となり建物の破壊と流出が防げる。
【図面の簡単な説明】
【図１】  建物の斜視図
【図２】  両端が丸い建物外郭の平面図
【図３】  一端が丸い建物外郭の平面図
【図４】  両端が丸い建物の配置イメージ図
【図５】  一端が丸い建物の配置イメージ図
【符号の説明】      １  端部の両端が丸い建物
２  端部の一端が丸い建物
３  寄せてくる津波の流れ
４  引いてく津波の流れ
５  津波の分流
【図１】
0003176910.tif 000003
【図２】
0003176910.tif 000004
【図３】
0003176910.tif 000005
【図４】
0003176910.tif 000006
【図５】
0003176910.tif 000007